(57)【要約】【課題】喫煙による煙を感知してエアーカーテンで遮断する遊技機を提供する。【解決手段】遊技機１は、前面扉２を開閉する筐体１ａを備える。前面扉２は、一対の煙感知器２０ａ・２０ａと空気吹出し装置８を有している。煙感知器２０ａは、喫煙による煙を感知する。空気吹出し装置８は、煙感知器２０ａが喫煙による煙を感知すると作動する。そして、空気吹出し装置８は、一対の吸引口２５Ｌ・２５Ｒとから空気を吸引し、前面扉２の吹出し口８１ａ〜８１ｄから帯状の空気流を吹き出して喫煙による煙を遮断する一対のエアーカーテンを生成する。【選択図】図３
2009125464.tif 000002
【特許請求の範囲】
【請求項１】
前面扉を開閉する筐体を備える遊技機であって、
前記前面扉は、喫煙による煙を感知する煙感知器と、この煙感知器が喫煙による煙を感知すると作動する空気吹出し装置と、を有し、
前記空気吹出し装置は、前記前面扉の両翼から帯状の空気流を吹き出して喫煙による煙を遮断する一対のエアーカーテンを生成することを特徴とする遊技機。
【請求項２】
前記煙感知器は、前記前面扉の上部に配置されることを特徴とする請求項１記載の遊技機。
【請求項３】
前記前面扉は、帯状の矩形に開口して前記エアーカーテンを吹き出す一対の吹出し口と、この吹出し口に対して回動操作可能に取り付けられて前記エアーカーテンの風向きを左右方向に変える平板状のフラップと、この吹出し口に対して回動操作可能に取り付けられて前記エアーカーテンの風向きを上下方向に変える複数の平板状のブレードと、を有することを特徴とする請求項１又は２記載の遊技機。
【請求項４】
前記前面扉は、下方に設けられて略円形に開口する一対の吸引口を有し、
前記空気吹出し装置は、前記一対の吸引口から空気を吸引する一対のブロワーファンモータを設ける一対の略筒形のファンユニットを有し、
前記ファンユニットは、前記ブロワーファンモータからの送風が前記吹出し口に連通する接続路を有することを特徴とする請求項３記載の遊技機。
【請求項５】
前記複数のブレードが連動して回動するように端部を相互に連結するリンクと、当該複数のブレードの内の一つと直結して回動させる外部操作可能な円板状のノブと、を備えることを特徴とする請求項３又は４記載の遊技機。
【発明の詳細な説明】
【技術分野】
【０００１】
本発明は、遊技機に関する。特に、隣接する遊技機からの喫煙による煙を遮断するエアーカーテンを備える遊技機に関する。
【背景技術】
【０００２】
一般に、スロットマシン又はパチンコ機などの遊技機の遊技者は、椅子に座り、遊技機と対面して遊技している。そして、多数の遊技機を設置する遊技店には、遊技者が快適に遊技を楽しめるように、店舗内に空気調節装置（エアーコンディショナー、以下、空調機という）が設置されている。
【０００３】
このような遊技店では、遊技機の前で喫煙する遊技者もいることから、隣接する遊技機の周囲に漂う煙草の煙が空調機で送風されて、副流煙に悩まされることがある。このような不具合があることから、エアーカーテンによる仕切りを遊技機間に形成して、遊技機間における煙草の煙の往来をなくし、店舗内全体の環境を浄化し、快適な遊技雰囲気を醸成する遊技店用の環境浄化装置が発明されている（例えば、特許文献１参照）。
【０００４】
特許文献１による遊技店用の環境浄化装置は、遊技機を多数配設した店舗において、隣接し合う遊技機間に斜め上向きに空気を吹射してエアーカーテンを形成する空気吹出装置を介設し、かつ、天井に吹射された空気を吸引して浄化する空調機を設けている。
【特許文献１】特開平９−６６１６０号公報
【発明の開示】
【発明が解決しようとする課題】
【０００５】
しかし、特許文献１による遊技店用の環境浄化装置は、多数のエアーカーテンが常時（営業時間内に）作動しているという問題がある。遊技機の前で喫煙する遊技者は比較的少数と考えられることから、煙草の煙が漂う遊技機にのみエアーカーテンが作動するようにすれば、不要な多くのエアーカーテンが作動しないので、省エネルギとなり、店舗内全体としてエアーカーテンが作動する風きり音が低減できる。
【０００６】
更に、特許文献１による遊技店用の環境浄化装置は、エアーカーテンによる風向きが固定されているという問題もある。店舗内に設置される空調機は、特許文献１に開示されたように、必ずしも効果的に配置されているとは限らない。エアーカーテンによる風向きを自由に変えることができれば、遊技者の判断によって煙草の煙の遮断空間を形成できる。そして、以上のことが本発明の課題といってよい。
【０００７】
本発明は、このような問題に鑑みてなされたものであり、隣接する遊技機からの喫煙による煙を感知して遮断するエアーカーテンを備える遊技機、及びこのエアーカーテンの風向きを調整自在な遊技機を提供することを目的とする。
【課題を解決するための手段】
【０００８】
本発明者は、上記目的を達成するため、遊技機の上方に煙感知器を設け、煙感知器が煙草の煙を感知するとエアーカーテンが作動するように構成し、更に、エアーカーテンの吹出し口に風向きを上下左右に調整自在な複数のフィンを設けることにより、前述の課題が解決できることを見出し、これに基づいて、以下のような新たなエアーカーテンを備える遊技機を発明するに至った。
【０００９】
（１）  前面扉を開閉する筐体を備える遊技機であって、前記前面扉は、喫煙による煙を感知する煙感知器と、この煙感知器が喫煙による煙を感知すると作動する空気吹出し装置と、を有し、前記空気吹出し装置は、前記前面扉の両翼から帯状の空気流を吹き出して喫煙による煙を遮断する一対のエアーカーテンを生成することを特徴とする遊技機。
【００１０】
（１）の発明による遊技機は、前面扉を開閉する筐体を備えている。前面扉は、煙感知器と空気吹出し装置を有している。煙感知器は、喫煙による煙を感知する。空気吹出し装置は、煙感知器が喫煙による煙を感知すると作動する。そして、空気吹出し装置は、前面扉の両翼から帯状の空気流を吹き出して喫煙による煙を遮断する一対のエアーカーテンを生成する。
【００１１】
ここで、煙感知器は、市販の火災警報センサを用いてよく、煙を検出する光電式煙センサを内蔵した光電式スポット型煙感知器を使用することが好ましい。この光電式スポット型煙感知器は、一対の投光素子と受光素子が内部に配置されており、投光素子と受光素子の間に喫煙による煙が侵入してくると、数秒おきに点滅する投光素子の光が煙に乱反射、又は遮光されることにより、煙を間接的に検出して警報信号（感知信号）を出力する。煙感知器が感知信号を出力する煙感度（閾値）と感知信号を出力するまでの蓄積時間は、環境に対応して適宜に設定されることが好ましい。
【００１２】
筐体は、遊技機の動作を制御する制御部を内部に備えてよく、煙感知器が喫煙による煙を感知すると、感知信号を制御部に出力する。空気吹出し装置は、エアーカーテンが生成されるファンモータを備えてよく、制御部は、感知信号が入力されると、ファンモータを作動する駆動信号を出力する。
【００１３】
そして、空気吹出し装置は、前面扉の両翼から帯状の空気流を吹き出して、喫煙による煙を遮断する。つまり、空気吹出し装置は、前面扉の両翼からエアーカーテンを吹き出して、喫煙による煙を遮断する。ここで、喫煙による煙とは、喫煙者が直接吸い込む主流煙が吹き出される煙を含み、火のついた部分から立ち上る紫煙である副流煙を含んでいる。
【００１４】
このように、（１）の発明による遊技機は、煙草の煙を煙感知器で感知して、空気吹出し装置が遊技機の両翼にエアーカーテンを生成するので、不要な多くのエアーカーテンが作動することなく、省エネルギとなり、店舗内全体としてエアーカーテンが作動する風きり音を低減できる。
【００１５】
（２）  前記煙感知器は、前記前面扉の上部に配置されることを特徴とする（１）記載の遊技機。
【００１６】
煙感知器は、前面扉の上部中央に一つ配置されてよく、前面扉の上部に所定距離、離間して一対に配置されてよく、配置個数は限定されない。煙感知器を二つ以上配置する場合は、いずれか一つの煙感知器が喫煙による煙を感知すると、空気吹出し装置を作動させることが好ましい。
【００１７】
（３）  前記前面扉は、帯状の矩形に開口して前記エアーカーテンを吹き出す一対の吹出し口と、この吹出し口に対して回動操作可能に取り付けられて前記エアーカーテンの風向きを左右方向に変える平板状のフラップと、この吹出し口に対して回動操作可能に取り付けられて前記エアーカーテンの風向きを上下方向に変える複数の平板状のブレードと、を有することを特徴とする（１）又は（２）記載の遊技機。
【００１８】
（３）の発明による遊技機は、前面扉が一対の吹出し口、平板状のフラップ、及び複数の平板状のブレードを有している。吹出し口は、帯状の矩形に開口しており、エアーカーテンを吹き出すことができる。フラップは、吹出し口に対して回動操作可能に取り付けられ、エアーカーテンの風向きを左右方向に変えることができる。複数のブレードは、吹出し口に対して回動操作可能に取り付けられており、エアーカーテンの風向きを上下方向に変えることができる。
【００１９】
フラップは、その長手方向の上下に一対の回転軸を突出してよく、一対の第１回転軸が吹出し口の上下内壁に設けられた一対の第１穴に嵌合して、吹出し口に対して手動で回動できる。フラップは、吹出し口を塞ぐこともでき、一対のフラップを開角するように回動すると、一対のエアーカーテンの風向きが外側に広がる。一対のフラップを閉角するように回動すると、一対のエアーカーテンの風向きが内側に閉じる。
【００２０】
複数のブレードは、フラップの背後に配置されてよく、各ブレードは、その両翼に一対の第２回転軸を突出してよく、一対の第２回転軸が吹出し口の左右内壁に設けられた一対の第２穴に嵌合して、吹出し口に対して手動で回動できる。後述するように、複数のブレードは、連動して回動することが好ましい。複数のブレードは、連動して吹出し口を塞ぐこともでき、複数のブレードを一方の方向に回動すると、エアーカーテンの風向きを下向きにできる。複数のブレードを他方の方向に回動すると、エアーカーテンの風向きを上向きにできる。
【００２１】
このように、（３）の発明による遊技機は、一対のフラップ及び複数のブレードの回動角度を操作することにより、エアーカーテンによる風向きを自由に変えることができ、遊技者の判断によって煙草の煙の遮断空間を形成できる。
【００２２】
（４）  前記前面扉は、下方に設けられて略円形に開口する一対の吸引口を有し、前記空気吹出し装置は、前記一対の吸引口から空気を吸引する一対のブロワーファンモータを設ける一対の略筒形のファンユニットを有し、前記ファンユニットは、前記ブロワーファンモータからの送風が前記吹出し口に連通する接続路を有することを特徴とする（３）記載の遊技機。
【００２３】
（４）の発明による遊技機は、前面扉が一対の吸引口を有している。吸引口は、前面扉の下方に設けられており、略円形に開口している。又、空気吹出し装置は、一対の略筒形のファンユニットを有している。ファンユニットは、吸引口から空気を吸引するブロワーファンモータを設けている。そして、ファンユニットは、ブロワーファンモータからの送風が吹出し口に連通する接続路を有している。
【００２４】
ここで、吸引口は、前面に網目状の格子を有するカバーで覆われてよく、このカバーは、ファンユニットと回動することにより着脱自在に取り付けられる構造が好ましい。カバーとブロワーファンモータに間にフィルタが配置されることが好ましく、カバーを取り外すと、フィルタが引き出し容易な構成が好ましい。
【００２５】
例えば、カバーは、相反する向きに突出する一対のフランジを設けてよく、吸引口に設けられた一対の切り欠きに一対のフランジが挿入されて、所定角度、一方の方向に回動することにより、カバーが固定される。カバーを他方の方向に回動することにより、取り外すことができる。
【００２６】
カバーは、筒形に形成されることが好ましく、所定の深さを有する筒状の内部にフィルタが配置されることが好ましい。カバーを取り外すことにより、フィルタを交換できる。
【００２７】
フィルタは、網目状の通風孔が疎なフィルタと、発泡材などで形成される通風孔が密なフィルタとで一体構成されてよく、疎なフィルタが吸引口と対向するように配置することにより、塵芥などの粗い粒子が最初に疎なフィルタで除去され、煙草の煙などの密な粒子が次に密なフィルタで除去されるという効果がある。
【００２８】
ブロワーファンモータは、フィルタに近接配置されることが好ましく、放射状に配置したランナ（羽根車）を回転すると、フィルタを通過した空気が軸方向から吸引されて、軸方向と略直交な向きに旋回流を作って排気する。
【００２９】
ブロワーファンモータは、前記ランナと、ランナを回転させるモータと、ランナの周囲を囲って旋回流を排出するケーシングとで構成されてよく、このケーシーグの吐出口を吹出し口に連通する接続路に接続する排出口としてもよい。ファンユニットは、ブロワーファンモータを主構成品としてよく、略筒形に形成される。
【００３０】
一対のファンユニットの排出口と一対の吹出し口とは、一対の接続路となる柔軟パイプで接続してよく、例えば、柔軟パイプの管端は、ねじりコイルばねの弾性力で縮径可能なピンチ金具で接続されてよく、柔軟パイプの着脱を容易にできる。一般に、スロットマシンなどの遊技機は、前面扉の内部中央にメダルセレクタや、スイッチやランプ類が突出しており、接続パイプを合成樹脂による柔軟パイプで接続することにより、フレキシブルに一対の排出口と一対の吹出し口とを接続できる。
【００３１】
（４）の発明による遊技機は、空気吹出し装置を前面扉の内部にバランスよく効果的に配置している。
【００３２】
（５）  前記複数のブレードが連動して回動するように端部を相互に連結するリンクと、当該複数のブレードの内の一つと直結して回動させる外部操作可能な円板状のノブと、を備えることを特徴とする（３）又は（４）記載の遊技機。
【００３３】
（５）の発明による遊技機は、外部からノブを操作して、エアーカーテンの風向きを上下方向に変えることができるので、便利である。
【発明の効果】
【００３４】
本発明による遊技機は、煙草の煙を煙感知器で感知して、空気吹出し装置が遊技機の両翼にエアーカーテンを生成するので、不要な多くのエアーカーテンが作動することなく、省エネルギとなり、店舗内全体としてエアーカーテンが作動する風きり音を低減できる。
【００３５】
又、本発明による遊技機は、一対のフラップ及び複数のブレードの回動角度を操作することにより、エアーカーテンによる風向きを自由に変えることができ、遊技者の判断によって煙草の煙の遮断空間を形成できる。
【発明を実施するための最良の形態】
【００３６】
以下、図面を参照して本発明を実施するための最良の形態を説明する。
【００３７】
図１は、本発明による遊技機の一実施形態を示す斜視外観図である。図２は、前記実施形態による遊技機を制御する電気回路の構成を示すブロック図である。図３は、前記実施形態による遊技機に備わる空気吹出し装置の斜視分解組立図であり、筐体部分は省略している。図４は、前記実施形態による遊技機に備わる空気吹出し装置の本体ケースを示す斜視分解組立図である。図５は、前記実施形態による遊技機に備わるファンユニットの要部を示す縦断面図である。
【００３８】
最初に、本発明による遊技機の構成を説明する。図１において、遊技機１は、いわゆるパチスロ機である。遊技機１は、コイン、メダル、遊技球又はトークンなどの他、遊技者に付与された、又は付与される遊技価値の情報を記憶したカードなどの遊技媒体を用いて遊技する遊技機であるが、以下ではメダルを用いるものとして説明する。
【００３９】
図１において、遊技機１は筐体１ａを有し、筐体１ａには開閉可能に前面扉２が取り付けられている。前面扉２の正面には、略垂直面であるパネル表示部２ａと、画像の表示による演出を行う画像表示手段として用いられる液晶表示部２ｂと、図示されない固定表示部２ｃとが形成されている。又、前面扉２の背後には、遊技に必要な複数種類の図柄が各々の外周面に描かれた図柄表示手段として用いられる３個のリール３Ｌ・３Ｃ・３Ｒが、回転自在に横一列に設けられている。各リール３Ｌ・３Ｃ・３Ｒは、一定の速度で回転する（例えば、８０回転／分）。
【００４０】
図１において、パネル表示部２ａ、液晶表示部２ｂ、及び固定表示部２ｃの下方には略水平面の台座部４が形成されている。台座部４の右側には、メダルを投入するための投入口１０が設けられている。投入されたメダルは、クレジットされるか、ゲームに賭けられる。又、台座部４の左側には、押下操作により、クレジットされているメダルを賭けるための１−ＢＥＴスイッチ１１、２−ＢＥＴスイッチ１２、及び最大ＢＥＴスイッチ１３が配置されている。
【００４１】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。
【００４２】
これらのＢＥＴスイッチ１１〜１３を操作することにより、所定の表示ラインが有効化される。ＢＥＴスイッチ１１〜１３の操作及び投入口１０にメダルを投入する操作（遊技を行うためにメダルを投入する操作）は、「ＢＥＴ操作」と呼ばれる。又、ＢＥＴスイッチ１１〜１３の上方には、操作部１７が設けられている。操作部１７は、液晶表示装置に遊技履歴などの情報を表示するために操作される。
【００４３】
図１において、台座部４の前面部の左寄りには、遊技者がゲームで獲得したメダルのクレジット／払出しを押しボタン操作で切り換えるＣ／Ｐスイッチ１４が設けられている。Ｃ／Ｐスイッチ１４の切り換えにより、正面下部のメダル払出口５ａからメダルが払出され、払出されたメダルはメダル受け部５に溜められる。
【００４４】
Ｃ／Ｐスイッチ１４の右側には、遊技者の操作により前記リールを回転させ、図柄表示領域内で図柄の変動表示を開始するための開始操作手段として用いられるスタートレバー６が所定の角度範囲で傾動自在に取り付けられている。
【００４５】
台座部４の前面部中央において、スタートレバー６の右側には、停止操作手段として用いられる停止ボタンユニット７０が設けられている。停止ボタンユニット７０は、３個のリール３Ｌ・３Ｃ・３Ｒの回転をそれぞれ停止させるために遊技者が押圧操作可能な停止操作部として機能する３個の停止ボタン７Ｌ・７Ｃ・７Ｒを備えている。
【００４６】
なお、図１に示された例では、一のゲーム（単位遊技）は、基本的にスタートレバー６が操作されることにより開始し、全てのリール３Ｌ・３Ｃ・３Ｒが停止したときに終了する。
【００４７】
パネル表示部２ａは、ボーナス遊技情報表示部、ＢＥＴランプ群、払出表示部、及びクレジット表示部を備えている。ボーナス遊技情報表示部は、例えば、７セグメントＬＥＤからなり、ボーナス中の遊技情報を表示する。ＢＥＴランプ群として１−ＢＥＴランプ、２−ＢＥＴランプ、及び最大ＢＥＴランプがあり、これらのランプは、一のゲームを行うために賭けられたメダルの数（以下「ＢＥＴ数」という）に応じて点灯する。
【００４８】
つまり、１−ＢＥＴランプは、ＢＥＴ数が１枚のときに点灯する。２−ＢＥＴランプは、ＢＥＴ数が２枚のときに点灯する。最大ＢＥＴランプは、ＢＥＴ数が３枚のときに点灯する。払出表示部及びクレジット表示部は、それぞれ７セグメントＬＥＤからなり、入賞が成立した時（役が成立したとき）のメダルの払出枚数及びクレジットされているメダルの枚数を表示する。
【００４９】
液晶表示部２ｂは、図示はしないが、図柄表示領域、窓枠表示領域、及び演出表示領域に区分されている。液晶表示部２ｂの表示内容は、リール３Ｌ・３Ｃ・３Ｒの回転及び停止態様、及び液晶表示装置（図示せず）の動作により変化する。図柄表示領域は、各リール３Ｌ・３Ｃ・３Ｒに対応して設けられ、リール３Ｌ・３Ｃ・３Ｒ上に配置された図柄の表示や、種々の演出表示を行う。
【００５０】
図柄表示領域には、表示ラインとして、水平方向にトップライン、センターライン、及びボトムライン、斜め方向にクロスアップライン及びクロスダウンラインを設けている。これらの表示ラインは、遊技者が、ＢＥＴスイッチ１１〜１３を押下操作すること、又は投入口１０にメダルを投入することにより、それぞれ１本、３本、５本が有効化される。どの表示ラインが有効化されたかは、前述のＢＥＴランプの点灯で表示される。なお、表示ラインは、役の成否に関わる。
【００５１】
図柄表示領域は、少なくとも、対応するリール３Ｌ・３Ｃ・３Ｒが回転中のとき、及び、対応する停止ボタン７Ｌ・７Ｃ・７Ｒが押圧操作可能なとき、遊技者がリール３Ｌ・３Ｃ・３Ｒ上の図柄を視認できるように、透過状態となる。
【００５２】
窓枠表示領域は、各図柄表示領域を囲むように設けられ、リール３Ｌ・３Ｃ・３Ｒの前面に配置された図柄表示領域の窓枠を表したものである。演出表示領域は、液晶表示部２ｂの領域のうち、図柄表示領域及び窓枠表示領域以外の領域である。この演出表示領域は、ボーナスが成立可能であることを確定的に報知する画像（例えば、告知ランプ）の表示、ゲームの興趣を増大するための演出、遊技者がゲームを有利に進めるために必要な情報などを表示する。
【００５３】
固定表示部２ｃは、予め定めた図、絵などが描かれる領域である。固定表示部２ｃに描かれた図、絵などと、演出表示領域に表示された画像とを連接させることにより一つの静止画像又は動画像を表示できるようにしてもよい。
【００５４】
又、筐体１ａ内には、効果音などの音響を出音することで音による演出を行う音演出手段としての図示しないスピーカが設けられている。
【００５５】
図１において、前面扉２の下方において、メダル受け部５の左側に灰皿１８が設けられており、遊技中などに喫煙する遊技者は、灰皿１８に煙草の灰を落とすことになる。そして、灰皿１８には煙草を一旦、灰皿１８に置くための煙草受け溝部１８ａが形成されている。
【００５６】
次に、本発明による遊技機の回路構成を説明する。図２において、遊技機１の回路は、遊技機１における遊技処理動作を制御する主制御回路７１と、主制御回路７１に電気的に接続する周辺装置（アクチュエータ）と、主制御回路７１から送信される制御指令に基づいて液晶表示装置、スピーカ類、ＬＥＤ類及びランプ類などを制御する副制御回路７２とを含んで構成されている。
【００５７】
図２において、主制御回路７１は、回路基板上に配置されたマイクロコンピュータ３０を主たる構成要素とし、これに乱数サンプリングのための回路を加えて構成されている。マイクロコンピュータ３０は、予め設定されたプログラムにしたがって制御動作を行うＣＰＵ３１と、記憶手段であるＲＯＭ３２及びＲＡＭ３３を含んでいる。
【００５８】
図２において、ＣＰＵ３１には、基準クロックパルスを発生するクロックパルス発生回路３４及び分周器３５と、サンプリングされる乱数を発生する乱数発生器３６及びサンプリング回路３７とが接続されている。なお、乱数サンプリングのための手段として、マイクロコンピュータ３０内で、すなわちＣＰＵ３１の動作プログラム上で、乱数サンプリングを実行するように構成してもよい。その場合、乱数発生器３６及びサンプリング回路３７は省略可能であり、又は、乱数サンプリング動作のバックアップ用として残しておくことも可能である。
【００５９】
マイクロコンピュータ３０のＲＯＭ３２には、スタートレバー６を操作（スタート操作）する毎に行われる乱数サンプリングの判定に用いられる確率抽籤テーブルや停止用当籤役決定テーブル、停止ボタンの操作に応じてリールの停止態様を決定するための停止テーブル群などが格納されている。又、副制御回路７２へ送信するための各種制御指令（コマンド）などが格納されている。副制御回路７２が主制御回路７１へコマンド、情報などを入力することはなく、主制御回路７１から副制御回路７２への一方向で通信が行われる。ＲＡＭ３３には、制御プログラムや、各種テーブルなどの種々の情報が格納される。例えば、内部当籤役、持越役、現在の遊技状態などの情報などが格納される。
【００６０】
図２において、マイクロコンピュータ３０からの制御信号により動作が制御される主要なアクチュエータとしては、ＢＥＴランプ（１−ＢＥＴランプ、２−ＢＥＴランプ、最大ＢＥＴランプ）と、ボーナス遊技情報表示部、払出表示部、クレジット表示部などの表示部と、メダルを収納し、ホッパー駆動回路４１の命令により所定枚数のメダルを払出すホッパー（払出しのための駆動部を含む）４０と、リール３Ｌ・３Ｃ・３Ｒを回転駆動するステッピングモータ４９Ｌ・４９Ｃ・４９Ｒとがある。
【００６１】
更に、ステッピングモータ４９Ｌ・４９Ｃ・４９Ｒを駆動制御するモータ駆動回路３９、ホッパー４０を駆動制御するホッパー駆動回路４１、複数のＢＥＴランプを駆動制御するランプ駆動回路４５、及びボーナス遊技情報表示部、払出表示部、クレジット表示部などの表示部を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【００６２】
又、マイクロコンピュータ３０が制御指令を発生するために必要な入力信号を発生する主な入力信号発生手段としては、スタートスイッチ６Ｓ、リール停止信号回路７、１−ＢＥＴスイッチ１１、２−ＢＥＴスイッチ１２、最大ＢＥＴスイッチ１３、Ｃ／Ｐスイッチ１４、メダルセンサ１０Ｓ、一対の煙感知器２０ａ・２０ｂ、リール位置検出回路５０、払出完了信号回路５１がある。
【００６３】
スタートスイッチ６Ｓ（遊技開始指令手段）は、スタートレバー６の操作を検出し、遊技開始指令信号を出力する。メダルセンサ１０Ｓは、投入口１０に投入されたメダルを検出する（図１参照）。
【００６４】
リール停止信号回路７は、遊技者による停止ボタン７Ｌ・７Ｃ・７Ｒの押圧操作に応じて、リール３Ｌ・３Ｃ・３Ｒの図柄の変動の停止を指令する停止指令信号としての停止信号を、マイクロコンピュータ３０に供給する。より具体的には、リール停止信号回路７は、Ａ／Ｄコンバータ７ａを備えており、遊技者の停止ボタン７Ｌ・７Ｃ・７Ｒの押圧操作により加えられた押圧力の大きさに応じた１６階調の信号を停止信号として出力することが可能となっている。
【００６５】
リール位置検出回路５０は、リール回転センサからのパルス信号を受けて各リール３Ｌ・３Ｃ・３Ｒの位置を検出するための信号をＣＰＵ３１へ供給する。払出完了信号回路５１は、メダル検出部４０Ｓの計数値（ホッパー４０から払出されたメダルの枚数）が指定された枚数データに達した時、メダル払出完了を検知するための信号を発生する。
【００６６】
図２において、乱数発生器３６は、一定の数値範囲に属する乱数を発生する。サンプリング回路３７は、スタートレバー６が操作された後の適宜のタイミングで１個の乱数をサンプリングする。こうしてサンプリングされた乱数を使用することにより、例えばＲＯＭ３２内に格納されている確率抽籤テーブルなどに基づいて内部当籤役などが決定される。
【００６７】
上記のようなリール３Ｌ・３Ｃ・３Ｒの回転位置とリール外周面上に描かれた図柄とを対応づけるために、図柄テーブル（図示せず）が、ＲＯＭ３２内に格納されている。この図柄テーブルでは、前述したリセットパルスが発生する回転位置を基準として、各リール３Ｌ・３Ｃ・３Ｒの一定の回転ピッチ毎に順次付与されるコードナンバーと、それぞれのコードナンバー毎に対応して設けられた図柄を示す図柄コードとが対応づけられている。
【００６８】
更に、ＲＯＭ３２内には、図柄組合せテーブル（図示せず）が格納されている。この図柄組合せテーブルでは、役の成立（入賞など）となる図柄の組合せと、入賞のメダル配当枚数と、その入賞（成立）を表わす入賞判定コード（成立判定コード）とが対応づけられている。上記の図柄組合せテーブルは、左のリール３Ｌ、中央のリール３Ｃ、右のリール３Ｒの停止制御時、及び全リール３Ｌ・３Ｃ・３Ｒの停止後の入賞確認（表示役の確認）を行う場合に参照される。表示役（表示役データ）は、基本的に、有効ラインに沿って並ぶ図柄組合せに対応する役（成立役）である。遊技者には、表示役に対応するメダルが付与される。
【００６９】
上記乱数サンプリングに基づく抽籤処理（確率抽籤処理など）により内部当籤役や停止用当籤役を決定した場合には、ＣＰＵ３１は、遊技者が各停止ボタン７Ｌ・７Ｃ・７Ｒを操作したタイミングでリール停止信号回路７から送られる停止信号、及び決定された停止テーブルに基づいて、各リール３Ｌ・３Ｃ・３Ｒを停止制御する信号をモータ駆動回路３９に送る。
【００７０】
当籤した役の入賞を示す停止態様（すなわち入賞態様）となれば、ＣＰＵ３１は、払出指令信号をホッパー駆動回路４１に供給してホッパー４０から所定個数のメダルの払出を行う。その際、メダル検出部４０Ｓは、ホッパー４０から払出されるメダルの枚数を計数し、その計数値が指定された数に達した時に、メダル払出完了信号がＣＰＵ３１に入力される。これにより、ＣＰＵ３１は、ホッパー駆動回路４１を介してホッパー４０の駆動を停止し、メダル払出処理を終了する。
【００７１】
図１において、このように構成された遊技機１は、一対の煙感知器２０ａ・２０ｂと空気吹出し装置８を有している（図３参照）。一対の煙感知器２０ａ・２０ｂは、前面扉２の上方に設けられて、前面に突出するランプケースの下面に取り付けられている。つまり、一対の煙感知器２０ａ・２０ｂは、前面扉２の上部に配置されている。一対の煙感知器２０ａ・２０ｂは、所定距離、離間して配置されている。一対の煙感知器２０ａ・２０ｂは、喫煙による煙を感知できる。
【００７２】
図１及び図３において、空気吹出し装置８は、一対の煙感知器２０ａ・２０ｂのいずれか一方又は両方が喫煙による煙を感知すると作動する。そして、空気吹出し装置８は、前面扉２の両翼から帯状の空気流を吹き出して、喫煙による煙を遮断する一対のエアーカーテンを生成できる。
【００７３】
次に、本発明による空気吹出し装置８の構成を説明する。図１又は図３において、前面扉２は、帯状の矩形に開口してエアーカーテンを吹き出す一対の吹出し口８１ａ・８１ｂ及び一対の吹出し口８１ｃ・８１ｄを設けている。一対の吹出し口８１ａ・８１ｂは、腰部パネルの両翼に開口している。一対の吹出し口８１ｃ・８１ｄは、パネル表示部２ａ、液晶表示部２ｂ、及び固定表示部２ｃの両翼に開口している。
【００７４】
図３又は図４において、一対の吹出し口８１ａ・８１ｂには、箱状に形成された一対の本体ケース８ａ・８ｂが装着される。同様に、一対の吹出し口８１ｃ・８１ｄには、箱状に形成された一対の本体ケース８ｃ・８ｄが装着される。そして、これら本体ケース８ａ〜８ｄの前面に開口された開口８０には、平板状のフラップ８２が回動操作可能に取り付けられている。
【００７５】
図４において、フラップ８２は、その長手方向の上下に一対の第１回転軸８２ａ・８２ａを突出している。一対の第１回転軸８２ａ・８２ａが開口８０の上下内壁に設けられた一対の第１穴８２ｂ・８２ｂに嵌合して、開口８０に対して手動で回動できる。フラップ８２は、吹出し口を塞ぐこともでき、一対のフラップ８２・８２を開角するように回動すると、一対のエアーカーテンの風向きが外側に広がる。一対のフラップ８２・８２を閉角するように回動すると、一対のエアーカーテンの風向きが内側に閉じる。
【００７６】
図１において、各吹出し口８１ａ〜８１ｄと各本体ケース８ａ〜８ｄの開口８０とは、面一になるように装着されており、フラップ８２を回動操作することにより、各吹出し口８１ａ〜８１ｄから吹き出すエアーカーテンの風向きを左右方向に変えることができる（図３又は図４参照）。
【００７７】
図１において、フラップ８２は、各吹出し口８１ａ〜８１ｄを塞ぐこともできる。例えば、一対のフラップ８２・８２を開角するように回動すると、一対のエアーカーテンの風向きが外側に広がる。一対のフラップ８２・８２を閉角するように回動すると、一対のエアーカーテンの風向きが内側に閉じる。
【００７８】
又、図３又は図４において、フラップ８２の背後には、複数の平板状のブレード８３が配置されている。各ブレード８３は、その両翼に一対の第２回転軸８３ａ・８３ａを突出している。一対の第２回転軸８３ａ・８３ａが開口８０の左右内壁に設けられた一対の第２穴８３ｂ・８３ｂに嵌合して、開口８０に対して手動で回動できる。
【００７９】
後述するように、複数のブレード８３は、連動して回動することができる。複数のブレード８３は、連動して開口８０を塞ぐこともでき、複数のブレード８３を一方の方向に回動すると、エアーカーテンの風向きを下向きにできる。複数のブレード８３を他方の方向に回動すると、エアーカーテンの風向きを上向きにできる。
【００８０】
図４において、各本体ケース８ａ〜８ｄは、複数のブレード８３が連動して回動するようにブレード８３の端部を相互に連結するリンク８４を有している。一つの第２回転軸８３ａは、各本体ケース８ａ〜８ｄから突出しており、この第２回転軸８３ａに円板状のノブ８５が直結している。
【００８１】
図１において、各吹出し口８１ａ〜８１ｄの近傍には、ノブ８５の円弧の一部が突出しており、外部からノブ８５を操作して、エアーカーテンの風向きを上下方向に変えることができる。
【００８２】
図３又は図４において、各本体ケース８ａ〜８ｄは、両管端が閉じられたパイプ８６を内蔵している。各パイプ８６は、各本体ケース８ａ〜８ｄから延出する接続口８６ａを有している。又、パイプ８６は、開口８０に向かって開口する複数の通孔８６ｂを設けており、接続口８６ａから空気を送風することにより、複数の通孔８６ｂからエアーカーテンを生成できる。
【００８３】
図３において、空気吹出し装置８は、一対の略筒形のファンユニット３０ｆ・３０ｆを含んで構成されている。前面扉２の下方には、一対の吸引口２５Ｌ・２５Ｒが開口している。一対の吸引口２５Ｌ・２５Ｒは、略円形に開口している。
【００８４】
図３において、一対の略筒形のファンユニット３０ｆ・３０ｆは、各吸引口２５Ｌ・２５Ｒから空気を吸引する一対のブロワーファンモータ２９Ｌ・２９Ｒを設けている。そして、各ファンユニット３０ｆ・３０ｆは、一対のブロワーファンモータ２９Ｌ・２９Ｒからの送風が各吹出し口８１ａ〜８１ｄに連通する接続路となる一対の柔軟パイプ３３ｐ・３３ｐを有している。
【００８５】
図３において、各吸引口２５Ｌ・２５Ｒには、１８０度の角度間隔をおいて、対向する一対の切り欠き部２６・２６が形成されている。一方、一対の吸引口２５Ｌ・２５Ｒを覆うカバー１３Ｌ・１３Ｒ（図１参照）は、筒形状に形成され、その前面に網目状の格子を有している。更に、カバー１３Ｌ・１３Ｒには、１８０度の角度間隔をおいて、互いに相反する向きに突出する一対のフランジ部２７・２７が形成されている。
【００８６】
したがって、一対の吸引口２５Ｌ・２５Ｒをそれぞれカバー１３Ｌ・１３Ｒで覆う際には、一対の切り欠き部２６・２６と一対のフランジ部２７・２７とを対応付けて切り欠き部２６にフランジ部２７を挿入した後、所定の角度だけカバー１３Ｌ・１３Ｒを一方の方向に回動させると、カバー１３Ｌ・１３Ｒは、一対のフランジ部２７・２７によって前面扉２に保持される。
【００８７】
又、図３において、カバー１３Ｌ・１３Ｒを他方の方向に一対のフランジ部２７・２７と一対の切り欠き部２６・２６が対応する位置まで回動すれば、カバー１３Ｌ・１３Ｒを前面扉２から容易に取り外すことができる（図５参照）。
【００８８】
図３又は図５において、一対の吸引口２５Ｌ・２５Ｒの各々には、フィルタ２８が配置される。フィルタ２８は、網目状の通風孔が疎なフィルタと、発泡材などで形成される通風孔が密なフィルタとで一体構成され、疎なフィルタが前面側に位置付けられる。
【００８９】
前述したように、カバー１３Ｌ・１３Ｒは、前面扉２に着脱可能となっているから、前方側からフィルタ２８を容易に交換できる。又、フィルタ２８は、網目状の通風孔が疎なフィルタと、発泡材などで形成される通風孔が密なフィルタとで一体構成されており、疎なフィルタが一対の吸引口２５Ｌ・２５Ｒと対向するように配置することにより、塵芥などの粗い粒子が最初に疎なフィルタで除去され、煙草の煙などの密な粒子が次に密なフィルタで除去されるという効果がある。
【００９０】
図３又は図５において、一対の吸引口２５Ｌ・２５Ｒには、筐体１ａ側に一対のブロワーファンモータ２９Ｌ・２９Ｒが配設されている。一対のフィルタ２８・２８とブロワーファンモータ２９Ｌ・２９Ｒとによって筒形の一対のファンユニット３０ｆ・３０ｆが構成されている。
【００９１】
次に、一対のブロワーファンモータ２９Ｌ・２９Ｒの前面扉２への取り付けについて説明する。なお、以下ではブロワーファンモータ２９Ｒの取り付けについて説明するが、ブロワーファンモータ２９Ｌについても同様にして取り付けられる。
【００９２】
図５において、ブロワーファンモータ２９Ｒは、ランナ２９１と、ランナ２９１を回転させるモータ２９２と、ランナ２９１の周囲を囲って旋回流を排出する略筒形のケーシング２９３とで構成されている。そして、ケーシング２９３は、排出口３２ｑを開口している。
【００９３】
図５において、前面扉２は、前側パネル２１１と後側パネル２１２と構成されている。前側パネル２１１と後側パネル２１２とは所定の間隔をおいて配設されている。前述の吸引口２５Ｒは、前側パネル２１１に形成されている。吸引口２５Ｒと対向して後側パネル２１２には開口部が形成されており、吸引口２５Ｒとこの開口部とは筒状の連結部材２１３によって密封状態で連結されている。つまり、前側パネル２１１と後側パネル２１２との間に筒状の連結部材２１３が配設され、連結部材２１３によって吸引口２５Ｒと開口部とが密封状態で連通されている。
【００９４】
図５において、後側パネル２１２には、その開口部に対応付けて、ケーシング２９３に形成されたフランジ３４ｆによってブロワーファンモータ２９Ｒが取り付けられている。ブロワーファンモータ２９Ｒの排出口３２ｑは、上方に向けられている。そして、排出口３２ｑに柔軟パイプ３３ｐの一方の管端が接続される（図３参照）。
【００９５】
図３において、柔軟パイプ３３ｐの一方の管端には、ブロワーファンモータ２９Ｌ・２９Ｒの排出口３２ｑの形状に合わせて、方形状のジョイント部３３ａが取り付けられて、ジョイント部３３ａによって柔軟パイプ３３ｐが排出口３２ｑに連結されている。
【００９６】
図３において、柔軟パイプ３３ｐの中間には接続口３３ｂが分岐され、一対の接続口３３ｂ・３３ｂが一対の本体ケース８ａ・８ｂの各接続口８６ａ・８６ａに接続される（図４参照）。又、柔軟パイプ３３ｐの他方の管端には、接続口３３ｃが開口され、一対の接続口３３ｃ・３３ｃが一対の本体ケース８ｃ・８ｄの各接続口８６ａ・８６ａに接続される（図４参照）。
【００９７】
図３において、柔軟パイプ３３ｐの接続口３３ｂ・３３ｃは、ねじりコイルばねの弾性力で縮径可能なピンチ金具２３１で接続される。ピンチ金具２３１を用いれば、柔軟パイプ３３ｐの着脱を容易に行うことができる。ここで、柔軟パイプ３３ｐは弾力のある柔軟チューブが好ましい。
【００９８】
一般に、スロットマシン又はパチスロ機などの遊技機は、前面扉２の内部中央にメダルセレクタや、スイッチやランプ類が突出しており、接続パイプを合成樹脂による柔軟パイプ３３ｐで接続することにより、フレキシブルに一対の排出口３２ｑ・３２ｑと一対の接続口８６ａ・８６ａとを接続できる（図３参照）。
【００９９】
このように、本発明による遊技機は、空気吹出し装置８を前面扉２の内部にバランスよく効果的に配置している。
【０１００】
次に、本発明による遊技機の作用を説明する。図１又は図３において、煙感知器２０ａは、市販の火災警報センサを用いてよく、煙を検出する光電式煙センサを内蔵した光電式スポット型煙感知器を使用することが好ましい。煙感知器２０ａは、煙を間接的に検出して警報信号（感知信号）を出力する。煙感知器２０ａが感知信号を出力する煙感度（閾値）と感知信号を出力するまでの蓄積時間は、環境に対応して適宜に設定されることが好ましい。
【０１０１】
図１において、煙感知器２０ａが喫煙による煙を感知すると、感知信号を主制御回路７１に出力する（図２参照）。空気吹出し装置８は、エアーカーテンが生成される一対のブロワーファンモータ２９Ｒ・２９Ｌを備えており、主制御回路７１は、感知信号が入力されると、一対のブロワーファンモータ２９Ｒ・２９Ｌを作動する駆動信号をモータ駆動回路２９ｃに出力する（図２参照）。
【０１０２】
図３において、一対のブロワーファンモータ２９Ｒ・２９Ｌが作動すると、一対の吸引口２５Ｌ・２５Ｒとから空気を吸引し、一対の柔軟パイプ３３ｐ・３３ｐを経由して、各吹出し口８１ａ〜８１ｄから帯状の空気流を吹き出して、喫煙による煙を遮断する。つまり、空気吹出し装置８は、前面扉２の両翼からエアーカーテンを吹き出して、喫煙による煙を遮断する。
【０１０３】
ここで、喫煙による煙を遮断するとは、隣接する遊技機からの喫煙による煙を遮断して、副流煙を防衛する意味を含み、隣接する遊技機への喫煙による煙を遮断して、隣人へ迷惑をかけない意味を含んでいる。
【０１０４】
このように、本発明による遊技機は、煙草の煙が漂う遊技機にのみエアーカーテンが作動するように構成しているので、不要な多くのエアーカーテンが作動しないので、省エネルギとなり、店舗内全体としてエアーカーテンが作動する風きり音が低減できる。
【０１０５】
又、本発明による遊技機は、フラップ８２及び複数のブレード８３の回動角度を操作することにより、エアーカーテンによる風向きを自由に変えることができ、遊技者の判断によって煙草の煙の遮断空間を形成できる（図４参照）。
【０１０６】
更に、本発明による遊技機は、外部からノブ８５を操作して、エアーカーテンの風向きを上下方向に変えることができるので、便利である（図１参照）。
【図面の簡単な説明】
【０１０７】
【図１】本発明による遊技機の一実施形態を示す斜視外観図である。
【図２】前記実施形態による遊技機を制御する電気回路の構成を示すブロック図である。
【図３】前記実施形態による遊技機に備わる空気吹出し装置の斜視分解組立図であり、筐体部分は省略している。
【図４】前記実施形態による遊技機に備わる空気吹出し装置の本体ケースを示す斜視分解組立図である。
【図５】前記実施形態による遊技機に備わるファンユニットの要部を示す縦断面図である。
【符号の説明】
【０１０８】
１  遊技機
１ａ  筐体
２  前面扉
８  空気吹出し装置
２０ａ・２０ｂ  煙感知器
【図１】
2009125464.tif 000003
【図２】
2009125464.tif 000004
【図３】
2009125464.tif 000005
【図４】
2009125464.tif 000006
【図５】
2009125464.tif 000007